【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
基部と、
この基部の端である一方の基部端部から当該基部の幅方向に並んで突出した２本の振動腕部と、を有する振動片と、
前記振動片が固定されるパッケージと、を備える振動子であって、
前記基部は、前記一方の基部端部から離れた側の当該基部の端である他方の基部端部と、前記一方の基部端部から前記他方の基部端部に向かって順に第１の幅、第２の幅、第３の幅とを備え、
前記第２の幅は、前記第１の幅および前記第３の幅より小さくなるように前記基部の両側に形成された切り込み部に挟まれた幅であり、
前記第１の幅は、前記第３の幅よりも小さく、
前記基部のうち前記第３の幅を有する部分に前記パッケージと固定される固定領域と、を備え、
前記振動腕部は、当該振動腕部の表面部及び裏面部に溝部を備え、
前記切り込み部は、前記他方の基部端部より前記溝部における前記基部の側の溝端部に近く配置されていることを特徴とする振動子。
【請求項２】
前記振動腕部が略直方体でなり、当該振動腕部の幅が５０μｍ以上１５０μｍ以下であることを特徴とする請求項１に記載の振動子。
【請求項３】
前記表面部又は前記裏面部に設けられている溝部の少なくともいずれか一方の深さが、前記振動腕部の深さ方向の全長である厚みに対して３０％以上５０％未満であることを特徴とする請求項１又は請求項２に記載の振動子。
【請求項４】
前記表面部又は前記裏面部に設けられている溝部のうち少なくともいずれか一方の溝部の深さが、前記振動腕部の深さ方向の全長である厚みに対して４０％以上５０％未満の深さであることを特徴とする請求項１又は請求項２に記載の振動子。
【請求項５】
前記溝部の開口の幅が、前記振動腕部の幅の４０％以上であることを特徴とする請求項３又は４に記載の振動子。
【請求項６】
前記溝部の開口の幅が、前記振動腕部の前記腕部幅の７０％以上１００％未満であることを特徴とする請求項３又は４に記載の振動子。
【請求項７】
前記振動片が略３０ＫＨｚ乃至略４０ＫＨｚで発振する音叉型水晶振動片であることを特徴とする請求項１乃至請求項６のいずれかに記載の振動子。
【請求項８】
基部と、
この基部の端である一方の基部端部から当該基部の幅方向に並んで突出した２本の振動腕部と、を有する振動片と、
前記振動片の振動によって発生した周波数信号が供給される集積回路と、
前記振動片が固定されるパッケージと、を備える発振器であって、
前記基部は、前記一方の基部端部から離れた側の当該基部の端である他方の基部端部と、前記一方の基部端部から前記他方の基部端部に向かって順に第１の幅、第２の幅、第３の幅とを備え、
前記第２の幅は、前記第１の幅および前記第３の幅より小さくなるように前記基部の両側に形成された切り込み部に挟まれた幅であり、
前記第１の幅は、前記第３の幅よりも小さく、
前記基部のうち前記第３の幅を有する部分に前記パッケージと固定される固定領域と、を備え、
前記振動腕部は、当該振動腕部の表面部及び裏面部に溝部を備え、
前記切り込み部は、前記他方の基部端部より前記溝部における前記基部の側の溝端部に近く配置されていることを特徴とする発振器。
【請求項９】
前記振動腕部が略直方体でなり、当該振動腕部の幅が５０μｍ以上１５０μｍ以下であることを特徴とする請求項８に記載の発振器。
【請求項１０】
前記表面部又は前記裏面部に設けられている溝部の少なくともいずれか一方の深さが、前記振動腕部の深さ方向の全長である厚みに対して３０％以上５０％未満であることを特徴とする請求項８又は請求項９に記載の発振器。
【請求項１１】
前記表面部又は前記裏面部に設けられている溝部のうち少なくともいずれか一方の溝部の深さが、前記振動腕部の深さ方向の全長である厚みに対して４０％以上５０％未満の深さであることを特徴とする請求項８又は請求項９に記載の発振器。
【請求項１２】
前記溝部の開口の幅が、前記振動腕部の前記腕部幅の４０％以上であることを特徴とする請求項１０又は１１に記載の発振器。
【請求項１３】
前記溝部の開口の幅が、前記振動腕部の前記腕部幅の７０％以上１００％未満であることを特徴とする請求項１０又は１１に記載の発振器。
【請求項１４】
前記振動片が略３０ＫＨｚ乃至略４０ＫＨｚで発振する音叉水晶型振動片であることを特徴とする請求項８乃至請求項１３のいずれかに記載の発振器。
【請求項１５】
請求項１乃至請求項７のいずれかに記載の振動子を制御部に接続して用いることを特徴とする電子機器。
【手続補正２】
【補正対象書類名】明細書
【補正対象項目名】０００８
【補正方法】変更
【補正の内容】
【０００８】
前記目的は、基部と、この基部の端である一方の基部端部から当該基部の幅方向に並んで突出した２本の振動腕部と、を有する振動片と、前記振動片が固定されるパッケージと、を備える振動子であって、前記基部は、前記一方の基部端部から離れた側の当該基部の端である他方の基部端部と、前記一方の基部端部から前記他方の基部端部に向かって順に第１の幅、第２の幅、第３の幅とを備え、前記第２の幅は、前記第１の幅および前記第３の幅より小さくなるように前記基部の両側に形成された切り込み部に挟まれた幅であり、前記第１の幅は、前記第３の幅よりも小さく、前記基部のうち前記第３の幅を有する部分に前記パッケージと固定される固定領域と、を備え、前記振動腕部は、当該振動腕部の表面部及び裏面部に溝部を備え、前記切り込み部は、前記他方の基部端部より前記溝部における前記基部の側の溝端部に近く配置されていることを特徴とする振動子により達成される。
【手続補正３】
【補正対象書類名】明細書
【補正対象項目名】００１４
【補正方法】変更
【補正の内容】
【００１４】
好ましくは、前記振動片の前記振動腕部が略直方体でなり、当該振動腕部の幅が５０μｍ以上１５０μｍ以下であることを特徴とする。
【手続補正４】
【補正対象書類名】明細書
【補正対象項目名】００１５
【補正方法】変更
【補正の内容】
【００１５】
このような振動片においても、前記切り込み部を設けることで、基部を小型化でき、振動片全体を超小型化できると共に、実用的なＣＩ値の上限である１００ＫΩ以下で、ＣＩ値の振動片素子間のバラツキを安定化させることができる。
【手続補正５】
【補正対象書類名】明細書
【補正対象項目名】００１７
【補正方法】変更
【補正の内容】
【００１７】
前記振動片の前記表面部及び前記裏面部に設けられている溝部のいずれかの深さが、前記振動腕部の深さ方向の全長である厚みに対して３０％以上５０％未満の深さに形成されているので、超小型振動片でもＣＩ値を実用上の上限である１００ＫΩ以下に抑えることができる。また、前記切り込み部を設けることで、ＣＩ値の振動片素子間のバラツキを安定化させることができる。
【手続補正６】
【補正対象書類名】明細書
【補正対象項目名】００１８
【補正方法】変更
【補正の内容】
【００１８】
好ましくは、前記振動片の前記表面部又は前記裏面部に設けられている溝部のうち少なくともいずれか一方の溝部の深さが、前記振動腕部の深さ方向の全長である厚みに対して４０％以上５０％未満の深さに形成されていることを特徴とする。
【手続補正７】
【補正対象書類名】明細書
【補正対象項目名】００２０
【補正方法】変更
【補正の内容】
【００２０】
好ましくは、前記振動片の前記溝部の開口における短辺である溝幅が、前記振動腕部の
前記腕部幅の４０％以上であることを特徴とする。
【手続補正８】
【補正対象書類名】明細書
【補正対象項目名】００２１
【補正方法】変更
【補正の内容】
【００２１】
前記振動片の前記溝部の開口の幅が、前記振動腕部の前記腕部幅の４０％以上と成っているので、ＣＩ値を実用上の上限である１００ＫΩ以下に抑えることができる振動子となる。また、前記切り込み部を設けることで、ＣＩ値の振動片素子間のバラツキを安定化させることができる。
【手続補正９】
【補正対象書類名】明細書
【補正対象項目名】００２２
【補正方法】変更
【補正の内容】
【００２２】
好ましくは、前記溝部の開口の幅が、前記腕部幅の７０％以上１００％未満に形成されていることを特徴とする。
【手続補正１０】
【補正対象書類名】明細書
【補正対象項目名】００２３
【補正方法】変更
【補正の内容】
【００２３】
前記振動片の前記溝部の開口の幅が７０％以上１００％未満に形成されているので、前記切り込み部を設けることで、ＣＩ値の振動片素子間のバラツキを安定化させることができる。
【手続補正１１】
【補正対象書類名】明細書
【補正対象項目名】００２６
【補正方法】変更
【補正の内容】
【００２６】
前記目的は、基部と、この基部の端である一方の基部端部から当該基部の幅方向に並んで突出した２本の振動腕部と、を有する振動片と、前記振動片の振動によって発生した周波数信号が供給される集積回路と、前記振動片が固定されるパッケージと、を備える発振器であって、前記基部は、前記一方の基部端部から離れた側の当該基部の端である他方の基部端部と、前記一方の基部端部から前記他方の基部端部に向かって順に第１の幅、第２の幅、第３の幅とを備え、前記第２の幅は、前記第１の幅および前記第３の幅より小さくなるように前記基部の両側に形成された切り込み部に挟まれた幅であり、前記第１の幅は、前記第３の幅よりも小さく、前記基部のうち前記第３の幅を有する部分に前記パッケージと固定される固定領域と、を備え、前記振動腕部は、当該振動腕部の表面部及び裏面部に溝部を備え、前記切り込み部は、前記他方の基部端部より前記溝部における前記基部の側の溝端部に近く配置されていることを特徴とする発振器により達成される。
【手続補正１２】
【補正対象書類名】明細書
【補正対象項目名】００２７
【補正方法】変更
【補正の内容】
【００２７】
好ましくは、前記切り込み部の前記振動腕部側である上端部が、前記溝部の前記基部側である下端部より前記基部の底面（他の基部端部）に形成されていることを特徴とする発振器である。
【手続補正１３】
【補正対象書類名】明細書
【補正対象項目名】００３７
【補正方法】変更
【補正の内容】
【００３７】
これに対して、本実施の形態の音叉型水晶振動片１００の基部１１０の長さは、音叉腕１２１，１２２の長さに対して上述のように３４％になるように形成されているので、従来の音叉型水晶振動片１０と同様の構成では、音叉腕１２１，１２２の振動による振動漏れが生じ、ＣＩ値の振動片素子間のバラツキが増大することになる。
しかし、本実施の形態では、図１に示すように基部１１０の両側に切り込み部１２５が２箇所設けられている。
この状態を示すのが図３である。図３は図１の基部１１０の切り込み部１２５の配置状態を示す概略斜視図である。
図３に示すように切り込み部１２５が矩形状に形成されている。
このような切り込み部１２５は、図１に示すように基部１１０の上端部（一方の基部端部）から０．１１３ｍｍ下側から下方に向かって形成されている。